(57)【要約】【課題】  従来にないデザインで、操作者の手扱いのときにアクセサリーシューの金属部端面への不測の接触のおそれが減少し安全面で有利な撮像装置とする。【解決手段】  撮像装置のアクセサリーシュー４１を、開閉自在に回動する液晶ディスプレイ１３の前に配設し、この液晶ディスプレイ１３が閉じた状態ではアクセサリーシュー４１の金属部のガイド４１ａ-1，４１ａ-2の高さを、液晶ディスプレイ１３より低くし、この液晶ディスプレイ１３が開いた状態で、アクセサリーをアクセサリーシュー４１に装着できるようにしたものである。【選択図】    図９  
2005184670.tif 000002
【特許請求の範囲】
【請求項１】
アクセサリーシューを有する撮像装置において、
前記アクセサリーシューの後ろ側に連続して開閉できる可動部材を設け、
前記可動部材を開いたときに前記アクセサリーシューの開口部が開くようにした
ことを特徴とする撮像装置。
【請求項２】
請求項１に記載の撮像装置において、
前記可動部材を、開閉自在とされた表示パネルとした
ことを特徴とする撮像装置。
【請求項３】
レンズ装置から入力される光に基づいて被写体の映像信号を形成する撮像手段と、
前記映像信号に基づいて映像を表示する表示パネルと
を備えた撮像装置において、
前記レンズ装置のレンズ系の光軸と略平行に延在された取手の前記光軸方向の前側に設けられる前記表示パネルと、
前記表示パネルのさらに前側に前記アクセサリーシューとを有し、
前記表示パネルを開いて前記アクセサリーシューにアクセサリーの装着を行うことができるようにした、
ことを特徴とする撮像装置。
【発明の詳細な説明】
【技術分野】
【０００１】
本発明は、アクセサリーシューを有する撮像装置に関し、特に、ビデオフラッシュライトなどのアクセサリーを装着するアクセサリーシューを備えた撮像装置に関する。
【背景技術】
【０００２】
従来、図１４に示すような業務用として用いられるハンディタイプの撮像装置１００は、液晶表示パネルなどによる撮影画像の確認モニタとしても使用できる比較的大きな表示装置１０１のほかに、小型の表示装置が内蔵されたビューファインダ１０２が備えられている。また、逆光のときや夜間での撮影のため、瞬間光を発するフラッシュや連続発光できるビデオフラッシュライトなどを装着するためのアクセサリーシュー１０５が、撮像装置１００に設けられる。
【０００３】
従来のアクセサリーシューとしては、図１４に示すような、撮像装置１００の上部に設けられている取手１０６上の前方でレンズ装置１０９の上方に配設され、アクセサリーシューに照明装置を取り付けたとき撮像装置に係る部品による陰ができるだけ撮像画像に影響しないようになされているものが知られている（特許文献１参照）。
【特許文献１】特開２００３−２５９１７１号公報（図１）
【発明の開示】
【発明が解決しようとする課題】
【０００４】
しかしながら、図１４や特許文献１に示すような、従来の撮像装置では、アクセサリーを取り付けるアクセサリーシューが撮像装置本体の最大外形から上方に突出する形態となっていたため、アクセサリーを装着していないときはアクセサリーシューを構成する金属端が最大の凸部になってしまう。このため、撮影のときなどの際に、接触する等の不都合を生じさせるおそれがあり、また、見た目もスマートでないものとなっていた。
【０００５】
本発明は、かかる点に鑑み、アクセサリーシューの金属部端面を大きく上方に突出させることなく、装置全体が小型となる撮像装置を提案することを目的とする。
【課題を解決するための手段】
【０００６】
本発明の撮像装置は、アクセサリーシューを有する撮像装置において、このアクセサリーシューの後ろ側に連続して開閉できる可動部材を設け、この可動部材を開いたときにこのアクセサリーシューの開口部が開くようにしたものである。
【０００７】
このように構成した本発明の撮像装置によれば、可動部材の前にアクセサリーシューが配され、この可動部材を開けてアクセサリーシューにアクセサリーを装着できるようにしたので、開けないとき、アクセサリーシューの上端が可動部材の上方に突出しないようにできる。
【０００８】
また、本発明は、上記記載の撮像装置において、この可動部材を、開閉自在とされた表示パネルとしたものである。
【０００９】
このように構成した本発明の撮像装置によれば、表示パネルの前にアクセサリーシューが配され、この表示パネルを開けてアクセサリーシューにアクセサリーを装着できるものとなる。
【００１０】
さらに、本発明は、上記記載の撮像装置において、レンズ装置から入力される光に基づいて被写体の映像信号を形成する撮像手段と、この映像信号に基づいて映像を表示する表示パネルとを備えた撮像装置において、このレンズ装置のレンズ系の光軸と略平行に延在された取手のこの光軸方向の前側に設けられるこの表示パネルと、この表示パネルのさらに前側にこのアクセサリーシューとを有し、この表示パネルを開いてこのアクセサリーシューにアクセサリーの装着を行うことができるようにしたものである。
【００１１】
このように構成した本発明の撮像装置によれば、取手の光軸方向の前側に表示パネルが配され、この表示パネルのさらに前にアクセサリーシューが設けられ、表示パネルを閉じているときには直近に配されるアクセサリーシューの上方への出っ張りを相対的に低く抑えできるため撮影のときなどの際に、接触する等の不都合が低減され、また、表示パネルを開いているときにはアクセサリーを装着できる状態となるように構成することができ、従来にないデザインの撮像装置にすることができる。
【発明の効果】
【００１２】
本発明の撮像装置によれば、自由度の高いデザインにすることができるとともに、表示パネルを閉じているときにアクセサリーシューの上方の出っ張りを小さくして装置全体を小型化でき、また、撮影のときなどの際に、アクセサーシューへの不測の接触のおそれを低減することができる。
【発明を実施するための最良の形態】
【００１３】
以下、本発明の撮像装置を実施するための最良の形態の例を図１〜図１３を参照して説明する。
【００１４】
図１〜図４に示すビデオカメラ１０は撮像装置の一具体例を示すもので、情報記録媒体としてテープ状記録媒体を用いたデジタルビデオカセット（以下「ＤＶカセット」という。）を使用し、光学的な画像をＣＣＤ（電荷結合素子）で電気的な信号に変換してＤＶカセットに記録したり液晶ディスプレイ等の表示装置に表示できるようにしたものである。しかしながら、本発明の撮像装置としては、これに限定されるものではなく、電子スチルカメラその他の撮像装置に適用できるものである。更に、情報記録媒体としては、ＤＶカセットに限定されるものではなく、アナログビデオカセットその他のテープ状記録媒体を用いることができることは勿論のこと、ＤＶＤ（デジタルバーサタイルディスク）やＣＤ−ＲＯＭ等の読み出し専用の光ディスク及び記録可能な光ディスク、光磁気ディスク、磁気ディスク等のようなディスク状記録媒体、更には、半導体記録媒体等のように他の記録媒体を適用することもできる。
【００１５】
このビデオカメラ１０は、中空の筐体からなるケース本体１１と、このケース本体１１の前面に突出するように取り付けられたレンズ装置１２と、このレンズ装置１２から入力される光に基づいて被写体の映像信号を形成する撮像手段と、この撮像手段で形成された映像信号又は予め情報記録媒体（撮像手段の記憶装置或いはＤＶカセット）に記録されている情報に基づいて映像を表示する表示装置１３等から構成されている。ここで、本発明における映像と画像について定義する。本発明では、表示装置１３の表示面に表示された１コマ毎の像を「画像」といい、その画像の任意数の集合を「映像」というものとする。
【００１６】
ビデオカメラ１０の撮像手段は、ケース本体１１の内部に収納されていて図には現れないが、ＤＶカセットが着脱自在に装着されるカセットホルダと、このカセットホルダに装着されたＤＶカセットのテープ状記録媒体を走行させて情報信号の記録（書き込み）及び再生（読み出し）を行う記録再生装置と、この記録再生装置の駆動制御等を行う制御装置等から構成されている。また、撮像手段のＣＣＤはレンズ装置１２の光軸上後方に配置されていて、このＣＣＤで電気的な信号に変換された情報がＤＶカセットに記録される。
【００１７】
カセットホルダのカセット挿入口はケース本体１１に設けた開口部から外部に突出可能とされていて、その開口部は、ケース本体１１に回動自在に取り付けられた開閉蓋１４によって開閉自在とされている。符号１５は、開閉蓋１４のロックを解除して開閉蓋１４を開く蓋開放ボタンである。この蓋開放ボタン１５をスライド操作することにより、開閉蓋１４の下部を回動自在に支持する軸を中心に回動されて、開閉蓋１４の上部がケース本体１１の側方に開放される。
【００１８】
また、ケース本体１１の背面の開閉蓋１４と反対側には、凹陥部からなるバッテリー収納部１６が設けられている。このバッテリー収納部１６には、電源としてのバッテリー１７が着脱可能に装着されている。そして、ケース本体１１の背面の開閉蓋１４側には、撮像手段を操作するための多数の操作ボタン（例えば、音量調節ボタン、ホワイトバランスボタン、モード切替ボタン等）１８が設けられている。
【００１９】
ケース本体１１の上部には、レンズ装置１２の光軸方向である前後方向に延在された取手２０が一体に設けられている。取手２０は、ケース本体１１の前側上部に立設された前脚部２０ａと、ケース本体１１の後側上部に立設された後脚部２０ｂと、レンズ装置１２の光軸と略平行に延在されるとともに前後脚部２０ａ，２０ｂの上端間を連結する把持部２０ｃから構成されている。前脚部２０ａの下部と後脚部２０ｂは前側に傾斜するよう形成されていて、後脚部２０ｂの上部に電子ビューファインダ２１が取り付けられている。
【００２０】
電子ビューファインダ２１は、光軸方向後方に突出するように設けられていて、先端部にはアイカップ２２が取り付けられている。この電子ビューファインダ２１は、光軸方向前側において取手２０に回動自在に支持されており、アイカップ２２側が略８０度上方へ回動可能に構成されている。
【００２１】
取手２０の前端部には、把持部２０ｃの先端に連続する台座部２４と、この台座部２４の先端に連続して光軸方向前方に突出する突出部２５が設けられている。突出部２５は、前方及び左右側方に開口された中空状の部分からなり、その内部にはマイクロホン２６が収納されている。また、台座部２４は、光軸方向と交差する方向の両側に張り出すように比較的大きく形成されていて、上面に開口する凹陥部が設けられている。この台座部２４には、多数の操作ボタンからなる操作ボタン群２７を有する蓋体が一体的に嵌合固定されている。
【００２２】
図５に示すように、台座部２４に装着された蓋体の上面は、光軸方向前側を高くして後方へ傾斜するように形成されている。これにより、ビデオカメラ１０を体の前にささげ持つ撮影者の目線が、蓋体面に対して垂直に近い角度となるようにしている。この蓋体に設けられる操作ボタン群２７（図２参照）の具体的内容としては、例えば、再生ボタン、停止ボタン、早送りボタン、巻戻しボタン、一時停止ボタン、音量調整スイッチ、バックライトスイッチ等を挙げることができる。
【００２３】
この台座部２４の一方の側部には、回動支持部３０を介して表示装置の一具体例を示す液晶ディスプレイ１３が回動動作及び反転動作可能に取り付けられている。液晶ディスプレイ１３は、図６に示すように、映像が表示される表示面１３ａと、この表示面１３ａを露出させる開口部が設けられたケース部１３ｂを備えており、ケース部１３ｂが回動支持部３０と連結されている。回動支持部３０は、台座部２４に対して液晶ディスプレイ１３を光軸方向と直交する方向である左右方向Ｓに回動可能とした第１の回動部と、液晶ディスプレイ１３を光軸方向である前後方向Ｔ（図３参照）に回動可能とした図示しない第２の回動部から構成されている。
【００２４】
図１及び図７に示すように、第１の回動部は、台座部２４の一側部において所定間隔をあけて設けられた一対の軸受部３１，３１と、両軸受部３１間に介在される軸受片３２と、これら一対の軸受部３１，３１及び軸受片３２を貫通する第１の回動軸３３から構成されている。第１の回動軸３３の軸心線方向と直交する方向に液晶ディスプレイ１３が略１８０度の角度範囲で左右方向Ｓに回動可能とされている。その結果、液晶ディスプレイ１３は、図１に示すように表示面１３ａ（図２参照）と反対側のケース面が表側に現されるディスプレイ閉じ状態と、図２に示すように液晶ディスプレイ１３を左右方向へ１８０度回動させて表示面１３ａを表側に現したディスプレイ開き状態を取ることができる。
【００２５】
また、第２の回動部は、軸受片３２と、この軸受片３２に立設された図示しない第２の回動軸と、この第２の回動軸とケース部１３ｂとの間に摩擦力を生じさせて液晶ディスプレイ１３を任意の角度で保持できるようにした図示しない回動摩擦機構から構成されている。第２の回動軸は第１の回動軸３３の軸心線方向と直交する方向に延在されていて、図３に示すように、液晶ディスプレイ１３が略２７０度の角度範囲で前後方向Ｔに回動可能とされている。その結果、液晶ディスプレイ１３は、図２に示すように表示面１３ａを上側に現した状態から後方へ９０度回動させて表示面１３ａを背面に向けた図３に示す状態（通常の撮影状態）を経て、更に後方へ９０度回動させることによりケース面を上側に現した状態（表示面１３ａは下向き）と、その状態から逆方向へ２７０度回動させて表示面１３ａを前面に向けた状態（自己を撮影する状態）を取ることができる。
【００２６】
また、液晶ディスプレイ１３は、その表示面１３ａを下に向けてケース面を上側に現した状態から左右方向に１８０度回動させることにより、図４に示すように、台座部２４の上に液晶ディスプレイ１３を重ね合わせて表示面１３ａを上側に現した状態を取ることができる。この表示面１３ａが表側である上面に現わされた状態では、その表示面１３ａは、台座部２４の上面２４ａと同様に傾斜角Φ（図５参照）によって取手２０の中心線ＴＬに対して若干後向きに傾斜されている。なお、液晶ディスプレイ１３の表示面１３ａが被写体に向く状態（自己を撮影する状態）のときには、切替えスイッチの作動を介して画像が自動的に反転するように構成する。
【００２７】
図２に示すように、台座部２４によって姿勢変更可能に支持された液晶ディスプレイ１３の近傍にあって、取手２０の把持部２０ｃの前端部２０ｄ（図５参照）には、撮像手段を操作するための操作ボタンの一具体例を示す録画ボタン３５と、レンズ装置１２を操作するための操作ボタンの一具体例を示すズームボタン３６が設けられている。この前端部２０ｄ上面は、図５に示すように、台座部２４の上面２４ａと同様に傾斜角Φによって若干後向きに傾斜され、取手２０の中心線ＴＬと傾斜角Φで交差するように設定されている。しかしながら前端部２０ｄ上面は、取手２０の中心線ＴＬと平行であってもよい。
【００２８】
録画ボタン３５とズームボタン３６は横並びに配置されていて、図６に示すように、取手２０を手で持った状態において、持ち方を変えることなく親指でともに操作できる位置に設定されている。これら録画ボタン３５及びズームボタン３６は、操作性を向上するために取手２０に設けた第２の録画ボタン及び第２のズームボタンである。そのため、ケース本体１１の開閉蓋１４と反対側の側面上部には、第２の録画ボタン及び第２のズームボタンとは別個独立に第１の録画ボタン３７と第１のズームボタン３８が設けられている。
【００２９】
図６に示す符号４０は、ビデオカメラ１０の取り落とし等を防止するためのハンドベルトである。また、図６及び図７に示す符号４１は、フラッシュ装置等が着脱自在に装着されるアクセサリーシューである。
【００３０】
本例のアクセサリーシュー４１について、以下、図１，図２，図５及び図７を参照して説明する。
【００３１】
図２の要部拡大図の図７に示すように、本例のアクセサリーシュー４１は、可動部材である液晶ディスプレイ１３が収納される台座部２４の前端から、マイクロホン２６が収納される突出部２５の上面２５ａに一体に設けられた矩形の台２９の上に形成される。
そして、この台２９に、台座部２４との境界から矩形の凹部４１ｃを形成し、さらに、この凹部４１ｃの前方に、凹部４１ｃより高く、台２９の上面２９ａより低い別の矩形状の段差面４１ｄを設ける。
【００３２】
図７に示すように、この段差面４１ｄに複数の電気接点４１ｂ，４１ｂ，４１ｂ，・・・を整列・埋設し、台２９の上面２９ａと段差面４１ｄにより形成される対向する側壁に、小サイズのアングル状の金属部材による一対の対向するガイド４１ａ-1，４１ａ-2が設けられてアクセサリーシュー４１が形成される。
このとき、段差面４１ｄは、図２及び図７に示すように、台座部２４の先端部２４ｂの高さよりあまり高くならないように形成し、かつ、図１及び図５に示すように、液晶ディスプレイ１３が台座２４に収納されているとき、液晶ディスプレイ１３の最上部１３ｄの高さより一対のガイド４１ａ-1，４１ａ-2が低くなるように形成する。
【００３３】
このように構成された本例のアクセサリーシュー４１は、一対の対向するガイド４１ａ-1，４１ａ-2で照明装置やマイクロホンなどのアクセサリーを装着・固定できる。そして、矩形の段差面４１ｄに配設された複数の電気接点４１ｂ，４１ｂ，４１ｂ，・・・によりこれらのアクセサリーへの給電と電気的制御を行うことができる。
【００３４】
以下、アクセサリーの一例であるビデオフラッシュライトを、アクセサリーシュー４１に装着する例を図１〜図４，図８〜図１０を参照して説明する。
【００３５】
ここで図８に示す本例のビデオフラッシュライト６０は、上部の本体には瞬間光を発するフラッシュライト６０ｂと、連続して発光することができるビデオライト６０ａを収納したケースをもち、下部の取付脚部にはアクセサリーシュー４１のガイド４１ａ-1，４１ａ-2に係合させるためのガイドプレート６０ｅと取付・固定のための固定リング６０ｄとをもち、最下部に電気的接続をおこなうための複数の整列されたバネ接点６０ｃ，６０ｃ，６０ｃ，・・・が配設されて構成されている。
【００３６】
先ず、図１に示す液晶ディスプレイ１３が閉じた状態から、図２に示す液晶ディスプレイ１３を開けた状態とする。次に、図９に示すように、ビデオフラッシュライト６０を、図のまず下方の矢印の向きに下ろしてから、突出部２５が設けられている前方の矢印の向きにずらす。このとき、ビデオフラッシュライト６０の取付脚部のガイドプレート６０ｅをアクセサリーシュー４１のガイド４１ａ-1，４１ａ-2に挿入・係合させる。
なお、実際には、フラッシュライト６０はアクセサリーシュー４１の凹部４１ｃを目がけて下ろされ、そして、前方にずらしてガイド同士が係合するようになされる。
【００３７】
それから、ビデオフラッシュライト６０の固定リング６０ｄを廻してアクセサリーシュー４１に取付・固定する。このとき、ビデオフラッシュライト６０のバネ接点６０ｃ，６０ｃ，６０ｃ・・・・・がアクセサリーシュー４１の電気接点４１ｂ，４１ｂ，４１ｂ・・・・と接触し、電気的導通が行われる。
そして、本例のビデオカメラ１０の側面図の図１０に示すように、突出部２５にビデオフラッシュライト６０が装着された状態で撮影できるようになされる。このとき、例えば、ビデオカメラ１０のレンズ装置１２から入射した光から被写体の明るさを検知し、これを基にビデオカメラ１０からビデオフラッシュライト６０に電気信号を出して自動で点灯・調光などが行われ、所定の撮影条件を満たすようになされる。また、このとき同時にビデオフラッシュライト６０（アクセサリー）への給電をビデオカメラ１０から行うことができる。
【００３８】
このように構成された本例のアクセサリーシュー４１によれば、アクセサリーシュー４１の上部に配されるガイド４１ａ-1，４１ａ-2の金属部端面が、液晶ディスプレイ１３を閉じた状態ではこの液晶ディスプレイ１３の最上部１３ｄの高さより低くなるようにされ、液晶ディスプレイ１３を開いた状態でも突出部２４からの突出量を小さく抑えたので、撮影のときなどの際に、金属部端面への不測の接触のおそれが減少する。
また、アクセサリーシュー４１へのアクセサリーの装着が液晶ディスプレイ１３を台座部２４から回動して開いたときに行える構成であり、従来にない高いデザイン性を有する撮像装置とすることができる。
【００３９】
本例の撮像装置によれば、アクセサリーシュー４１の上部に配される金属部端面が、液晶ディスプレイ１３を閉じた状態ではこの液晶ディスプレイ１３より突出することがなく、液晶ディスプレイ１３を開いた状態でも突出量を小さく抑えたので、ビデオカメラ１０を小型化でき、また、撮影のときなどの際に、金属部端面への不測の接触のおそれが減少し安全面で有利なものとすることができる。
【００４０】
なお、アクセサリーシュー４１へのアクセサリーの装着は、図３の液晶ディスプレイ１３がＴ方向に回動した状態でも行え、また、アクセサリーを装着した後、液晶ディスプレイ１３を台座部２４に収納し、図１又は図４に示す状態として撮影することも支障なく行うことができる。
【００４１】
このような構成を有するビデオカメラ１０は、例えば、次のようにして良好な撮像作業等を実行することができる。まず、図１の状態では、液晶ディスプレイ１３が取手２０の台座部２４に格納されていて、その表示面１３ａが操作ボタン群２７と重なり合うよう内向きに対向されているため、表示面１３ａをしっかりと保護することができる。
【００４２】
ビデオカメラ１０の図１の状態から、回動支持部３０の第１の回動部を中心に液晶ディスプレイ１３を左右方向Ｓへ略１８０度回動させることにより、図２に示すように液晶ディスプレイ１３を側方に突出させて表示面１３ａを上方へ向けることができる。この状態では、液晶ディスプレイ１３の表示面１３ａを見て、被写体の状態を確認することができる。また、台座部２４に設けられた操作ボタン群２７が露出されるため、その操作ボタン群２７を使用してビデオカメラ１０の撮像手段を操作することができる。例えば、撮影した映像を再生するためのボタン類を配置しておくことにより、その映像内容の確認を容易に行うことができる。
【００４３】
更に、図２に示す状態から、回動支持部３０の第２の回動部を中心に液晶ディスプレイ１３を前方へ略９０度回動させることにより、表示面１３ａを被写体に向けることができる。また、液晶ディスプレイ１３を後方へ略９０度回動させることにより、図３に示すように、表示面１３ａを撮影者に向けることができる。このような状態のビデオカメラ１０を、図１１に示すように、液晶ディスプレイ１３の表示面１３ａを撮影者の目線上に設定して支持することにより、楽な姿勢でビデオカメラ１０を支持しつつ、その表示面１３ａを目で見て被写体を確認しながら撮影することができる。
【００４４】
また、図３に示す状態から、回動支持部３０の第２の回動部を中心に液晶ディスプレイ１３を更に後方へ略９０度回動させて表示面１３ａを下に向けた後、第１の回動部を中心に液晶ディスプレイ１３を左右方向Ｓへ略１８０度回動させ、図４に示すように、液晶ディスプレイ１３を台座部２４に格納することにより、表示面１３ａを操作ボタン群２７の上に重ね合わせて上方へ向けることができる。この状態では、ケース本体１１の中心線上に液晶ディスプレイ１３が設置されるため、表示面１３ａを見易くすることができる。しかも、液晶ディスプレイ１３の両端がケース本体１１の側面部から側方に大きく突出することがないため、撮影時に液晶ディスプレイ１３が邪魔になることがない。
【００４５】
このような液晶ディスプレイ１３の取付姿勢は、例えば、図１２に示すように、ビデオカメラ１０がブレないように電子ビューファインダ２１の先端のアイカップ２２を胸に押し当ててビデオカメラ１０を固定して撮影する場合に好適である。このようなビデオカメラ１０の固定状態で撮影者が液晶ディスプレイ１３の表示面１３ａを見ると、その目が水平方向を見るときの水平目線ＥＨとその目が表示面１３ａを見るときの表示面目線ＥＤとのなす角度γ１を、小さくすることができ、撮影者が被写体と表示面１３ａを交互に見るために頭を上下方向に振る角度を小さくすることができる。従って、首の振れを少なくして首の筋肉疲労を軽減できるとともに、録画チャンスを逃すおそれを少なくすることができる。
【００４６】
更に、図７に示す液晶ディスプレイ１３の取付姿勢は、図１３に示すように、取手２０を手Ｆで持ってビデオカメラ１０を下げた状態で撮影する、いわゆるローアングル撮影をする場合に好適である。この状態では、取手２０を持つ手Ｆのすぐ前方に液晶ディスプレイ１３の表示面１３ａが配置されているとともに、その表示面１３ａが後方へ少々傾斜されているため、楽な姿勢において目線を表示面１３ａ上におくことができる。
【００４７】
しかも、ローアングルで撮影する場合に、液晶ディスプレイが側面部から側方に大きく突出していないため、撮影者の肩の関節Ａと手首の関節Ｃを結ぶ腕線ＡＣと肩の関節Ａから垂直に降ろした垂線ＡＶとのなす角度θ１を小さくすることができるため、撮影者の足Ｇに当たらないようにビデオカメラ１０を足Ｇから距離Ｓ１だけ遠ざけるようにしても、そのときの手Ｆの角度θ１を小さくすることができ、従って、手Ｆを足Ｇから遠ざける力を小さくすることができる。これにより、重さを感じ易い窮屈な姿勢を軽減させて、比較的楽にビデオカメラ１０をささげ持つことができる。
【００４８】
更に、図７に示すように、取手２０の把持部２０ｃ（図１参照）における台座部２４の近傍に録画ボタン３５とズームボタン３６が設置されているため、把持部２０ｃを持った姿勢を変えることなく、その姿勢のままで親指の操作により録画ボタン３５とズームボタン３６の操作を行うことができる。従って、録画チャンスを逃がすおそれを少なくできるとともに、ズーミング操作を迅速に行うことができる。
【００４９】
なお、上述例ではアクセサリーシュー４１を突出部２５の上面２５ａに形成された台２９に配設したが、上面２５ａを台２９の上面２９ａと略同じ高さとなるように形成し、台２９の高さ分だけ突出を小さくしてもよい。
【００５０】
また、本発明は上述例に限ることなく本発明の要旨を逸脱することなく、その他種々の構成が採り得ることは勿論である。
【図面の簡単な説明】
【００５１】
【図１】本発明の撮像装置の実施の形態の例を示すもので、表示面を取手の台座部に対向させて表示装置の非表示面を表に現した状態の斜視図である。
【図２】図１例で、表示装置を図の左右方向へ１８０度回動させて表示面を上面に現した状態の斜視図である。
【図３】図１例で、図２に示す状態から表示装置を後方へ９０度回動させて表示面を撮影者側に向けた状態の斜視図である。
【図４】図１例で、図３に示す状態から表示装置を更に後方へ９０度回動させた後台座側に１８０度回動させて表示面を上側に向けた状態の斜視図である。
【図５】図１例に係るケース本体と取手と表示装置の関係を説明する説明図である。
【図６】図１例に係る撮像装置の使用状態を示す斜視図である。
【図７】図１例に係る撮像装置の表示装置及び台座部を拡大して示す説明図である。
【図８】アクセサリーの一例のビデオフラッシュライトの外観斜視図である。
【図９】ビデオフラッシュライトの装着の説明に供する外観斜視図である。
【図１０】図１例の形態においてビデオフラッシュライトを装着した状態を示す外観側面図である。
【図１１】図１例に係る撮像装置の使用状態を示すもので、表示装置の表示面を目の高さに設定した説明図である。
【図１２】図１例に係る撮像装置の使用状態を示すもので、表示装置の表示面を胸の高さに設定した説明図である。
【図１３】図１例に係る撮像装置の使用状態を示すもので、撮像装置をローアングルで保持した説明図である。
【図１４】従来の撮像装置（ビデオカメラ）の外観斜視図である。
【符号の説明】
【００５２】
１０…ビデオカメラ（撮像装置）、１１…ケース本体、１２…レンズ装置、１３…液晶ディスプレイ（表示装置）、４１・・・アクセサリーシュー、４１ａ-1，４１ａ-2・・・ガイド
【図１】
2005184670.tif 000003
【図２】
2005184670.tif 000004
【図３】
2005184670.tif 000005
【図４】
2005184670.tif 000006
【図５】
2005184670.tif 000007
【図６】
2005184670.tif 000008
【図７】
2005184670.tif 000009
【図８】
2005184670.tif 000010
【図９】
2005184670.tif 000011
【図１０】
2005184670.tif 000012
【図１１】
2005184670.tif 000013
【図１２】
2005184670.tif 000014
【図１３】
2005184670.tif 000015
【図１４】
2005184670.tif 000016